(57)【要約】【課題】投函物の投函された際に、容易に受取口の蓋が開いて投函物の投函が容易となる構成の受け箱を提供する。【解決手段】躯体の開口部３に取付けられ、投函物を投函可能な本体部８ａ，９ａと、本体部８ａの室外側に設けられた投函口８ｂと、投函口８ｂと対向する室内側に設けられた受取口９ｂと、受取口９ｂを閉塞すると共に、室内側に開く方向に開閉可能な開閉蓋１６とを備える。開閉蓋１６または本体部９ａにおける開閉蓋１６の吊元側に、投函物２５を吊元側から戸先側に導く傾斜したガイド部２１ａを備える。【選択図】図６
2017169641.tif 000002
【特許請求の範囲】
【請求項１】
躯体の開口部に取付けられ、投函物を投函可能な本体部と、
前記本体部の室外側に設けられた投函口と、
前記投函口と対向する室内側に設けられた受取口と、
前記受取口を閉塞すると共に、室内側に開く方向に開閉可能な開閉蓋とを備えた受け箱において、
前記開閉蓋、または前記開閉蓋を取付けた本体部の少なくともいずれか一方における前記開閉蓋の吊元側に、投函物を前記開閉蓋の吊元側から戸先側に導く傾斜したガイド面を有するガイド部を備えたことを特徴とする受け箱。
【請求項２】
請求項１に記載の受け箱において、
前記受け箱は前記開閉蓋を閉じる方向に付勢する付勢部材を備え、
前記ガイド部は、前記付勢部材を取付ける取付け部に設けられていることを特徴とする受け箱。
【請求項３】
請求項２に記載の受け箱において、
前記付勢部材はコイル状のトーションばねからなり、
前記トーションばねを嵌める取付け軸は、前記開閉蓋の枢着軸と軸心が一致し、
前記ガイド部は、前記取付け軸を支持する軸支持部と、前記トーションばねの端部を受けて係止するばね受けとの間に形成されていることを特徴とする受け箱。
【発明の詳細な説明】
【技術分野】
【０００１】
本発明は、建物の壁部等に設置される受け箱に関する。
【背景技術】
【０００２】
建物には新聞や郵便物等の投函物を受けるための受け箱（ポスト）が設置される。特許文献１には、このような受け箱の従来例が示されている。この特許文献１に記載の受け箱は、いずれも筒状をなす投函側ユニットと受取側ユニットを、一方が他方に差し込まれるように、それぞれ壁等の室外側、室内側から取付けている。受取側ユニットの受取口には、その受取口を閉塞、開放可能な蓋が、付勢部材（ばね）により室外側、すなわち閉塞側に付勢されて取付けられている。
【先行技術文献】
【特許文献】
【０００３】
【特許文献１】特開２０１５−１０４５１４号公報
【発明の概要】
【発明が解決しようとする課題】
【０００４】
しかしながら、この従来の受け箱においては、受取口の開閉蓋の吊元側に大きな投函物の先端が当接すると、開閉蓋が開き難いことがあるという問題点があった。
【０００５】
本発明は、上記問題点に鑑み、投函物の投函された際に、容易に受取口の蓋が開いて投函物の投函が容易となる構成の受け箱を提供することを目的とする。
【課題を解決するための手段】
【０００６】
本発明の受け箱は、
躯体の開口部に取付けられ、投函物を投函可能な本体部と、
前記本体部の室外側に設けられた投函口と、
前記投函口と対向する室内側に設けられた受取口と、
前記受取口を閉塞すると共に、室内側に開く方向に開閉可能な開閉蓋とを備えた受け箱において、
前記開閉蓋、または前記開閉蓋を取付けた本体部の少なくともいずれか一方における前記開閉蓋の吊元側に、投函物を前記開閉蓋の吊元側から戸先側に導く傾斜したガイド面を有するガイド部を備えたことを特徴とする。
【０００７】
また、本発明の受け箱は、前記受け箱において、
前記受け箱は前記開閉蓋を閉じる方向に付勢する付勢部材を備え、
前記ガイド部は、前記付勢部材を取付ける取付け部に設けられていることを特徴とする。
【０００８】
また、本発明の受け箱は、前記受け箱において、
前記付勢部材はコイル状のトーションばねからなり、
前記トーションばねを嵌める取付け軸は、前記開閉蓋の枢着軸と軸心が一致し、
前記ガイド部は、前記取付け軸を支持する軸支持部と、前記トーションばねの端部を受けて係止するばね受けとの間に形成されていることを特徴とする。
【発明の効果】
【０００９】
本発明の受け箱は、開閉蓋または前記本体部における前記開閉蓋の吊元側に、投函物を吊元側から戸先側に導く傾斜したガイド面を有するガイド部を設けたので、投函物が開閉蓋の吊元側に当接しても、投函物を室外側から押す力により、投函物がガイド面に沿って開閉蓋の戸先側に導かれるので、開閉蓋を円滑に開くことができ、投函物を容易に投函可能となる。
【図面の簡単な説明】
【００１０】
【図１】本発明の一実施の形態の受け箱を投函側ユニットと受取側ユニットを組み合わせる前の状態で示す斜視図である。
【図２】この実施の形態の受け箱を建物の壁に取付けた状態で示す横断面図である。
【図３】この実施の形態の受け箱を建物の壁に取付けた状態で示す縦断面図である。
【図４】（Ａ）はこの実施の形態の室内側開閉蓋を室外側から見た斜視図、（Ｂ）はその開閉蓋に設けるトーションばねの取付け構造を拡大して示す斜視図である。
【図５】（Ａ）はこの実施の形態の受取側ユニットを室内側から見た分解斜視図、（Ｂ）は室内側開閉蓋のトーションばねの取付け構造を示す断面図である。
【図６】この実施の形態における投函物の投函状態を示す横断面図である。
【図７】本発明の他の実施の形態の受け箱を建物の壁に取付けた状態で示す横断面図である。
【図８】図７の実施の形態の受取側ユニットの本体部を室内側から見た図である。
【図９】図６、図７に示す実施の形態における投函物の投函状態を示す横断面図である。
【発明を実施するための形態】
【００１１】
図１は本発明の一実施の形態の受け箱を投函側ユニットと受取側ユニットを組み合わせる前の状態で示す斜視図、図２はこの実施の形態の受け箱を建物の壁に取付けた状態で示す横断面図、図３はその縦断面図である。受け箱１は、躯体の壁２に貫通して設けられた開口部３に挿入して取付けられる。４，５は開口部３を構成するために壁２に設けられた縦横のカイ木、６は壁２の外装材である。
【００１２】
受け箱１は、矩形の筒状をなす投函側ユニット８と受取側ユニット９とからなる。この実施の形態においては、これらのユニット８，９は樹脂成形材でなり、その各本体部８ａ，９ａが縦長に形成された縦型のものについて示す。また、投函側ユニット８の本体部８ａが受取側ユニット９の本体部９ａに差し込まれた形で両者が組み合わされる例を示す。これらは、それぞれねじや釘等の固定具１０，１１によりカイ木４あるいはカイ木５に固定される。
【００１３】
投函側ユニット８は投函口８ｂを有し、この投函口８ｂにはコイル状のトーションばね１２ａにより閉じる方向、すなわち室外側に向けて付勢された開閉蓋１２を備える。また、この投函側ユニット８内には、防風用のモヘア１３が取付けられている。
【００１４】
受取側ユニット９は受取口９ｂを有し、この受取口９ｂの周囲には、内外二重構造の枠部１４が形成されている。この枠部１４を構成する一方の縦枠部１４ａには、受取口９ｂを閉塞、開放する開閉蓋１６が開閉可能に取付けられる。すなわち、図４（Ａ）（この図は図面上、上側が、室内側から見て左側である。）に示すように、開閉蓋１６の片側の上下端には枢着軸１７が開閉蓋１６の上面、下面からそれぞれ上下に突出して設けられている。
【００１５】
一方、図５（Ａ）に示すように、枠部１４の上下の横枠部１４ｂ，１４ｂには、枢着軸１７を回動可能に内嵌する受孔１８が設けられている。開閉蓋１６の枠部１４への取付けは、開閉蓋１６を多少弾性変形させた状態で両端の枢着軸１７を枠部１４の受孔１８に嵌めることにより行なう。開閉蓋１６を枠部１４に取付けた状態では、開閉蓋１６は室内側に開くことができるように、開閉可能となる。
【００１６】
図２において、１９は開閉蓋１６を閉じる方向に付勢する付勢部材として設けられたコイル状のトーションばねである。図４（Ａ），（Ｂ）に示すように、このトーションばね１９は、開閉蓋１６の室外側でかつ吊元側１６ａの面に取付けられている。すなわち、吊元側１６ａには、トーションばね１９の取付け軸２０，２０が、その取付け軸２０を支持する軸支持部２１と一体に、取付け軸２０，２０が互いに反対向きに突出するように設けられている。取付け軸２０，２０は、開閉蓋１６の枢着軸１７，１７の軸心と一致する。開閉蓋１６の室外側でかつ吊元側１６ａの面には、トーションばね１９の端部を係止するばね受け２２が設けられている。
【００１７】
一方、トーションばね１９は、一対のコイルばね１９ａ，１９ａの各一端を連結部１９ｂで連結した構造を有する。このトーションばね１９の開閉蓋１６への取付けは、２つのコイルばね１９ａ，１９ａを取付け軸２０，２０に嵌め、各コイルばね１９ａ，１９ａの先端１９ｃ，１９ｃは、図４（Ｂ），図５（Ｂ）に示すように、開閉蓋１６の室内側に一体に設けたばね受け２２に係止させて行なう。
【００１８】
図１，図５（Ａ），（Ｂ）に示すように、受取側ユニット９の片側の側面には、トーションばね１９のずれを防止するための２つのストッパ２３，２３が形成されている。そして、トーションばね１９の連結部１９ｂは、図１，図５（Ｂ）に示すように、枠部１４のうちの縦枠部１４ａに設けられ縦長の貫通孔２４に通して２つのストッパ２３，２３間に位置させることにより、コイルばね１９ａ，１９ａが取付け軸２０，２０から外れることを防止している。
【００１９】
この実施の形態においては、図４（Ａ），（Ｂ），図５（Ｂ）に示すように、開閉蓋１６の吊元側１６ａに、投函物を吊元側から戸先側に導くため、トーションばね１９の取付け軸２０の軸支持部２１からばね受け２２にわたって、傾斜したガイド面２１ｂを有するガイド部２１ａを設けている。すなわち、このガイド部２１ａの室外側の面、すなわちガイド面２１ｂは、トーションばね１９の取付け軸２０側、すなわち開閉蓋１６の吊元側１６ａから戸先側にいくにしたがって室外側から室内側に位置するように傾斜した形状をなしている。
【００２０】
この実施の形態の開閉蓋１６は、トーションばね１９により開閉蓋１６が閉じる方向に付勢されているので、防風効果が得られる。このように、開閉蓋１６が付勢部材により閉じる方向に付勢されていると、投函物を投入した際に、その付勢手段による閉じる方向の力が開閉蓋１６を開く際に、開く力に対して逆方向に作用することになる。しかしこの実施の形態のようにガイド部２１ａを設ければ、トーションばね１９のような付勢部材が存在しても、投函物２５の投函時に開閉蓋１６を容易に開くことができる。
【００２１】
すなわち図６に示すように、投函物２５が投函側ユニット８の投函口８ｂから投函され、その先端が吊元側１６ａに当接しても、投函物２５の先端がガイド部２１ａの傾斜したガイド面２１ｂに沿って滑り、開閉蓋１６の枢着軸１７の軸心より離れた位置を押圧するため、開閉蓋１６を容易に開くことが可能となり、投函物２５を容易に投函可能となる。
【００２２】
特に建物の壁２に設ける受け箱１の場合には、ドアに設けるポストと異なり、壁の厚さがドアに比較して大となるため、室内側の開閉蓋１６が目視できないから、方向を定めて投函するわけにはいかないが、ガイド部２１ａによるガイド作用により、投函物２５が自動的がガイドされ、投函方向をあまり考慮することなく、円滑な投函が可能となる。
【００２３】
また、この実施の形態においては、付勢部材はコイル状のトーションばね１９からなり、トーションばね１９を嵌める取付け軸２０は、開閉蓋１６の枢着軸１７と軸心が一致し、ガイド部２１ａは、トーションばね１９を嵌める取付け軸２０の軸支持部２１に、取付け軸２０の付近から、トーションばね１９の端部を受けて固定するばね受け２２との間に形成されている。このため、枢着軸１７の軸心付近から遠ざかる方向にガイド面２１ｂが形成されていることになり、投函により枢着軸１７の軸心付近にかかる力を軽減することができる。
【００２４】
なお、ガイド部はトーションばね１９の取付け部ではなく、開閉蓋１６の室外側の面の吊元側の他の箇所でもよく、ガイド部の数も１個あるいは３個以上設けてもよい。
【００２５】
図７は本発明の受け箱の他の実施の形態を示す横断面図、図８はこの実施の形態の受取側ユニットを室内側から見た図である。この実施の形態においては、開閉蓋１６側に投函物２５のガイド部を設けるのではなく、受取側ユニット９の本体部９ａの一方の縦板部９ｃの内面における、開閉蓋１６の吊元側にあたる端部に複数のガイド部２７を一体に設けたものである。この例では、２つのガイド部２７は貫通孔２４付近、すなわち前述したトーションばね１９の取付け部付近に設け、他の２つのガイド部２７は縦板部９ｃの内面における、開閉蓋１６の吊元側にあたる端部の上下に設けている。
【００２６】
このガイド部２７は、室内外方向に向けて形成されており、各ガイド部２７は、傾斜面でなるガイド面２７ａが、室外側から室内側になる程、受取側ユニット９の本体部９ａの内側、すなわち開閉蓋１６の戸先側となるように傾斜して形成されている。
【００２７】
このようなガイド部２７を本体部９ａに設ければ、図９に示すように、投函物２５が投函側ユニット８の投函口８ｂから投函された場合、投函物２５の先端が投函物２５の先端が傾斜面をなしているガイド部２７のガイド面２７ａに沿って滑り、開閉蓋１６の吊元側から離れた位置を押圧するため、開閉蓋１６を容易に開くことが可能となり、投函物２５を容易に投函可能となる。
【００２８】
上記実施の形態においては、開閉蓋１６または本体部９ａのいずれか一方のみにガイド部２１ａ，２７を設けたが、開閉蓋１６と本体部９ａの双方にガイド部を設けてもよい。また、本発明は、横長の開口部に設ける横型の受け箱にも適用可能である。横型の場合、開閉蓋の吊元側、すなわち開閉蓋の上側あるいは本体部の上板部の室内側端部内面に設ける。
【００２９】
また、上記実施の形態においては、受け箱１を、それぞれ筒状の本体部８ａ，９ａを有する２つのユニット８，９について分割したが、一方のユニットにのみ筒状部の本体部を設け、他方には例えば蓋のみを取付けることにより、筒状の本体部は１つにした構成も採用することができる。
【００３０】
本発明を実施する場合、具体的な構造については、上記実施の形態で示した以外に、本発明の要旨を逸脱しない範囲において、種々の変更、付加が可能である。
【符号の説明】
【００３１】
１  受け箱
２  壁
３  開口部
８  投函側ユニット
８ａ  本体部
８ｂ  投函口
９  受取側ユニット
９ａ  本体部
９ｂ  受取口
１６  開閉蓋
１９  トーションばね
２０  取付け軸
２１  軸支持部
２１ａ  ガイド部
２２  ばね受け
２５  投函物
２７  ガイド部
【図１】
2017169641.tif 000003
【図２】
2017169641.tif 000004
【図３】
2017169641.tif 000005
【図４】
2017169641.tif 000006
【図５】
2017169641.tif 000007
【図６】
2017169641.tif 000008
【図７】
2017169641.tif 000009
【図８】
2017169641.tif 000010
【図９】
2017169641.tif 000011